(57)【要約】【課題】水洗式便器の使用者に対して節水の動機づけになり、水洗式便器の節水化を図り得る便器装置を提供する。【解決手段】便器装置は、便器本体１０、及びこの便器本体１０に洗浄水を供給する便器洗浄装置３０を有する水洗式便器１と、便器洗浄装置３０が便器本体１０に供給した洗浄水の水量を測定する測定装置３５と、水洗式便器１の使用者が視認することができ、測定装置３５が測定した設定期間内の水量に基づいたデータを表示する表示装置４１、４２とを備えている。【選択図】図１
2013100711.tif 000002
【特許請求の範囲】
【請求項１】
便器本体、及びこの便器本体に洗浄水を供給する便器洗浄装置を有する水洗式便器と、
前記便器洗浄装置が前記便器本体に供給した洗浄水の水量を直接的又は間接的に取得する測定装置と、
前記水洗式便器の使用者が視認することができ、前記測定装置が取得した設定期間内の水量に基づいたデータを表示する表示装置とを備えていることを特徴とする便器装置。
【請求項２】
前記測定装置は、前記便器洗浄装置が前記便器本体に洗浄水を供給する回数をカウントするカウンター機能と、このカウンター機能のカウント数に１回の便器洗浄に利用する洗浄水量を乗じて水量を換算する換算機能とを有していることを特徴とする請求項１記載の便器装置。
【請求項３】
前記便器洗浄装置は前記便器本体に供給する洗浄水量が異なる複数の洗浄パターンを有していることを特徴とする請求項１又は２記載の便器装置。
【請求項４】
前記表示装置は前記水洗式便器の使用者毎に前記データを表示することを特徴とする請求項１乃至３のいずれか１項記載の便器装置。
【請求項５】
前記表示装置は、他の水洗式便器の前記データと、現在使用中の水洗式便器の前記データとを比較して表示することを特徴とする請求項１乃至４のいずれか１項記載の便器装置。
【請求項６】
前記データは、前記測定装置が取得した水量に基づいて換算した水道料金、ＣＯ2排出量、その他の換算値であることを特徴とする請求項１乃至４のいずれか１項記載の便器装置。
【発明の詳細な説明】
【技術分野】
【０００１】
本発明は便器装置に関する。
【背景技術】
【０００２】
特許文献１は従来の便器装置を開示している。この便器装置は、便器本体と、この便器本体に洗浄水を供給する便器洗浄装置とを有する水洗式便器を備えている。また、この便器装置は、便器本体に供給した洗浄水の水量等を測定する測定装置と、測定装置が測定した水量等を表示する表示装置とを備えている。表示装置は水洗式便器が設置されたブースとは別に設けられたブース内に配置されている。
【０００３】
この便器装置は、測定装置が測定した水量等に基づいて、水洗式便器の使用状況を把握することができる。このため、水洗式便器の使用状況に応じて水洗式便器のリニューアルを行い、リニューアル後の水洗式便器で使用される洗浄水の使用水量を削減することができる。
【先行技術文献】
【特許文献】
【０００４】
【特許文献１】特開２００１−９０１２４号公報
【発明の概要】
【発明が解決しようとする課題】
【０００５】
しかし、特許文献１の便器装置は表示装置を水洗式便器が設置されたブースとは別のブース内に配置している。このため、表示装置は水洗式便器に供給された洗浄水の水量等を水洗式便器の使用者が認識するために備えられているものではない。このため、この便器装置は、水洗式便器の使用者に水洗式便器に供給する洗浄水の消費を少なくするという動機を与えることができない。よって、この便器装置は、水洗式便器の使用者自らが日々の水洗式便器の使用において、洗浄水の使用水量を少なくしようとするものではない。
【０００６】
本発明は、上記従来の実情に鑑みてなされたものであって、水洗式便器の使用者に対して節水の動機づけになり、水洗式便器の節水化を図り得る便器装置を提供することを解決すべき課題としている。
【課題を解決するための手段】
【０００７】
本発明の便器装置は、便器本体、及びこの便器本体に洗浄水を供給する便器洗浄装置を有する水洗式便器と、
前記便器洗浄装置が前記便器本体に供給した洗浄水の水量を直接的又は間接的に取得する測定装置と、
前記水洗式便器の使用者が視認することができ、前記測定装置が取得した設定期間内の水量に基づいたデータを表示する表示装置とを備えていることを特徴とする。
【０００８】
この便器装置は、便器本体に供給した洗浄水の設定期間内の水量を直接的又は間接的に取得し、その水量（以下、使用水量という。）に基づいたデータを表示装置に表示することによって、そのデータを水洗式便器の使用者が水洗式便器の使用中に視認することができる。このため、水洗式便器の使用者は、その表示内容から使用水量等の多少を把握することができる。これによって、水洗式便器の使用者に対して節水の動機づけになり、この使用者は洗浄水の消費を少なくするように水洗式便器を使用するようになり得る。
【０００９】
したがって、本発明の便器装置は、水洗式便器の使用者に対して節水の動機づけになり、水洗式便器の節水化を図り得る。
【図面の簡単な説明】
【００１０】
【図１】実施例１の便器装置を示す概略図である。
【図２】実施例１のリモートコントローラーを示す正面図である。
【図３】実施例１の水洗式便器を示す斜視図である。
【図４】実施例１の多機能型携帯電話の表示部にデータを表示した状態を示す正面図である。
【図５】（Ａ）〜（Ｄ）は実施例１の表示装置の表示部に表示する異なるデータを示す図である。
【図６】実施例２の便器装置を示す概略図である。
【図７】実施例２の多機能型携帯電話の表示部に表示するデータを示す図である。
【図８】実施例２の便器装置の動作を示すフローチャートである。
【図９】他の実施例の水洗式便器を示す概略図である。
【発明を実施するための形態】
【００１１】
本発明における好ましい実施の形態を説明する。
【００１２】
本発明の前記測定装置は、前記便器洗浄装置が前記便器本体に洗浄水を供給する回数をカウントするカウンター機能と、このカウンター機能のカウント数に１回の便器洗浄に利用する洗浄水量を乗じて水量を換算する換算機能とを有し得る。この場合、便器装置は使用水量を間接的に取得することができるため、直接的に使用水量を取得するために利用する流量計等を必要としない。このため、便器洗浄装置が設定期間内に便器本体に供給する使用水量を容易に把握することができる。
【００１３】
本発明の前記便器洗浄装置は前記便器本体に供給する洗浄水量が異なる複数の洗浄パターンを有し得る。この場合、水洗式便器の使用者は表示装置に表示したデータから使用水量等の多少を把握したうえで、洗浄パターンを選択することができる。つまり、水洗式便器の使用者は、使用水量等が多い場合、水洗式便器に供給する洗浄水量が少ない洗浄パターンを選択し得るため、水洗式便器における洗浄水の消費を削減することになり得る。
【００１４】
本発明の前記表示装置は前記水洗式便器の使用者毎に前記データを表示し得る。この場合、使用者毎にその使用者が水洗式便器を利用した際の使用水量を把握することができる。これによって、使用水量が多い使用者に対して節水の動機づけが強く働き、この使用者は洗浄水の消費を少なくするように水洗式便器を使用するようになり得る。
【００１５】
また、前記表示装置は、他の水洗式便器の前記データと、現在使用中の水洗式便器の前記データとを比較して表示し得る。この場合、水洗式便器を交換したことによる節水具合を確認することができる。また、これによって、水洗式便器の使用者に対して節水の動機づけになり、さらに、使用者は洗浄水の消費を少なくするように水洗式便器を使用するようになり得る。
【００１６】
本発明の前記データは、前記測定装置が取得した水量に基づいて換算した水道料金、ＣＯ2排出量、その他の換算値であり得る。水洗式便器の使用者が実感し易い換算値にすることによって、使用者に対して節水の動機づけになり易い。このため、使用者は洗浄水の消費を少なくするように水洗式便器を使用するようになり得る。
【００１７】
次に、本発明の便器装置を具体化した実施例１及び２について、図面を参照しつつ説明する。
【００１８】
＜実施例１＞
実施例１の便器装置は、図１〜図５に示すように、便器本体１０と、便器本体１０に洗浄水を供給する便器洗浄装置３０とを有する水洗式便器１を備えている。便器本体１０は、便鉢部１１と、便鉢部１１の下流側に連続して設けられた便器排水路１２とを有している。また、便器本体１０は上部に便座装置２０を取り付けている。便座装置２０は、便器本体１０の後部上面に取り付けられた便座ボックス２１と、便座ボックス２１に軸支され、回動自在な便座及び便蓋２２とを有している。
【００１９】
便器洗浄装置３０は、洗浄水を貯留する洗浄タンク３１と、洗浄タンク３１に洗浄水を供給する一次側給水路３２と、洗浄タンク３１に貯留した洗浄水を便鉢部１１に供給する二次側給水路３３と、二次側給水路３３の中間部に設けたポンプＰとを有している。洗浄タンク３１は便器本体１０の後方であって便座装置２０の上面より下方に配置されている。
【００２０】
一次側給水路３２は上流端部が給水圧力を有する給水源に連通している。一次側給水路３２は、開閉弁３４と、開閉弁３４より下流側に設けられた流量計３５からなる測定装置とを有している。開閉弁３４は、洗浄タンク３１内の水位が上限水位から低下すると開弁し、洗浄タンク３１内の水位が上昇して上限水位になると閉弁する。開閉弁３４が開弁すると、一次側給水路３２内を給水源から流入した洗浄水が流れる。一次側給水路３２内を流れる洗浄水は、流量計３５によって流量が測定されつつ、洗浄タンク３１内に供給される。
【００２１】
二次側給水路３３は洗浄タンク３１の底面近傍と便鉢部１１とを連通している。便器洗浄装置３０は、ポンプＰが駆動することによって、二次側給水路３３を介して洗浄タンク３１内に貯留した洗浄水を便鉢部１１に供給する。便鉢部１１に供給された洗浄水は便鉢部１１の表面を洗浄しつつ、便器排水路１２を介して便鉢部１１内の汚物等を便器本体１０外へ排出する。
【００２２】
便器装置は、流量計３５の測定値から設定期間内（例えば、１か月間毎）の水量を換算し、その水量（使用水量）に基づいたデータを表示する表示装置４１、４２を備えている。表示装置４１、４２は、図１〜図３に示すように、水洗式便器１のリモートコントローラー５０、及び便座装置２０の便座ボックス２１に設けられている。各表示装置４１、４２は、リモートコントローラー５０の前面、及び便座ボックス２１の上面に表示部４１Ａ、４２Ａを有している。このように、表示部４１Ａ、４２Ａは、水洗式便器１が設置されたトイレ室内に存在するため、水洗式便器１の使用者が水洗式便器１の使用中に視認することができる。また、表示装置４１、４２は、図４に示すように、多機能型携帯電話（スマートフォン）４３を表示装置として利用し、その表示部４３Ａにデータを表示するようにしてもよい。この場合も、水洗式便器１の使用者が多機能型携帯電話４３を水洗式便器１が設置されたトイレ室内に持ち込むことによって、水洗式便器１の使用中に表示部４３Ａを視認することができる。
【００２３】
水洗式便器１のリモートコントローラー５０は、図２に示すように、３個の便器洗浄ボタン５１、５２、５３を有している。便器洗浄装置３０は、これら便器洗浄ボタン５１、５２、５３に応じて、便器本体１０に供給する洗浄水の水量が大、中、小と異なる洗浄パターンを実行する。
【００２４】
表示装置４１、４２、４３は、図５（Ａ）〜（Ｄ）に示すように、表示部４１Ａ、４２Ａ、４３Ａに表示されるデータを変更することができる。図５（Ａ）に示されるデータは、ある月の水洗式便器１の使用水量を「今月の使用量」として表示するものである。この使用水量は、一次側給水路３２に設けられた流量計３５の測定値から換算したものであり、各月初めにリセットされ、便鉢部１１に洗浄水が供給される毎に積算されるものである。データに表示された木の葉の数によって、節水度を表示している。節水度は、水洗式便器１の使用回数に対して使用水量の多少を示すものであり、木の葉の数が多いほど使用水量が少ないことを示す。このように、この便器装置は、表示装置４１、４２、４３の表示部４１Ａ、４２Ａ、４３Ａに表示された内容を水洗式便器１の使用者が水洗式便器１の使用中に視認して、使用水量の多少を把握することができるため、その使用者に対して節水の動機づけになる。
【００２５】
図５（Ｂ）に示されるデータは、ある月の水洗式便器１の使用水量を水道料金に換算して表示したものである。このように、表示内容を水洗式便器１の使用者が実感し易い換算値にすることによって、使用者に対して節水の動機づけになり易い。
【００２６】
図５（Ｃ）に示されるデータは、従来型の他の水洗式便器の年間の使用水量と、現在使用している水洗式便器１の年間の使用水量を比較して表示するものである。また、現在使用している水洗式便器１の使用水量をＣＯ2排出量に換算して、従来型の他の水洗式便器に比べて削減量を表示するものである。このように、この便器装置は、水洗式便器を交換した場合、従来型の水洗式便器に対する節水具合を確認することができ、水洗式便器１の使用者に対して節水の動機づけになる。また、ＣＯ2排出量に換算することによって、使用者が節水具合を実感し易くしている。
【００２７】
図５（Ｄ）に示されるデータは、水洗式便器１の使用者毎にある月の使用水量、使用回数、使用パターンを表示するものである。このように、使用者毎にその使用者が水洗式便器１を利用した際の使用水量を把握することができる。これによって、使用水量が多い使用者に対して節水の動機づけが強く働く。
【００２８】
以上説明したように、この便器装置では、水洗式便器１の使用者が、水洗式便器１の使用中に表示部４１Ａ、４２Ａ、４３Ａの表示内容を視認し、使用水量等の多少を把握することができる。このため、この便器装置は水洗式便器１の使用者に対して節水の動機づけになる。これによって、水洗式便器１の使用者は、便器本体１０に供給する洗浄水の水量が少ない洗浄パターンを実行する便器洗浄ボタン５１、５２、５３を操作して便器洗浄を行ったり、便器洗浄ボタン５１、５２、５３の操作回数を少なくしたりして、洗浄水の消費を少なくするように水洗式便器１を使用するようになり得る。
【００２９】
したがって、実施例１の便器装置は、水洗式便器１の使用者に対して節水の動機づけになり、水洗式便器１の節水化を図り得る。
【００３０】
＜実施例２＞
実施例２の便器装置は、測定装置が流量計を有しておらず、間接的に水量を取得する点で実施例１と相違する。実施例１と同一の構成は、同一の符号を付し、詳細な説明を省略する。
【００３１】
実施例２の便器装置は、図６に示すように、便器本体１０と、便器本体１０に洗浄水を供給する便器洗浄装置１３０とを有する水洗式便器１００を備えている。便器本体１０は上部に便座装置１２０を取り付けている。便座装置１２０は、便器本体１０の後部上面に取り付けられた便座ボックス１２１と、便座ボックス１２１に軸支され、回動自在な便座１２２Ａ及び便蓋１２２Ｂとを有している。便座ボックス１２１は表示部１４２Ａを有する表示装置１４２を上面に設けている。便座ボックス１２１は洗浄ボタン１２３を側面に設けている。便座装置１２０は、便器本体１０の前方に近づいた水洗式便器１００の使用者、及び便座１２２Ａに着座した水洗式便器１００の使用者を検知することができる図示しない人体検知装置を有している。
【００３２】
便器洗浄装置１３０は、洗浄水を貯留する洗浄タンク３１と、洗浄タンク３１に洗浄水を供給する一次側給水路１３２と、洗浄タンク３１に貯留した洗浄水を便鉢部１１に供給する二次側給水路３３と、二次側給水路３３の中間部に設けたポンプＰとを有している。洗浄タンク３１は便器本体１０の後方であって便座装置１２０の上面より下方に配置されている。
【００３３】
一次側給水路１３２は、上流端部が給水圧力を有する給水源に連通し、開閉弁３４を有している。開閉弁３４は、洗浄タンク３１内の水位が上限水位から低下すると開弁し、洗浄タンク３１内の水位が上昇して上限水位になると閉弁する。開閉弁３４が開弁すると、給水源から一次側給水路１３２を介して洗浄水が洗浄タンク３１内に供給される。
【００３４】
リモートコントローラー１５０は、２個の便器洗浄ボタン（大洗浄ボタン１５１、小洗浄ボタン１５２）を有している。また、リモートコントローラー１５０は表示部１４２１を有する表示装置１４１を前面に設けている。
【００３５】
ポンプＰは便座ボックス１２１内の制御装置１２５によって駆動制御される。つまり、制御装置１２５は、リモートコントローラー１５０に設けた大洗浄ボタン１５１、又は便座ボックス１２１の外表面に設けた洗浄ボタン１２３が操作されると、ポンプＰが駆動して大洗浄を実行する。この大洗浄の際に便器本体１０に供給する洗浄水の水量は便鉢部１１内の汚物等が便器本体１０から良好に排出することができる水量α１（リットル）である。また、制御装置１２５は、リモートコントローラー１５０に設けた小洗浄ボタン１５２が操作されると、ポンプＰが駆動して小洗浄を実行する。この小洗浄の際に便器本体１０に供給する洗浄水の水量は、大洗浄の際に便器本体１０に供給する水量よりも少なく、便鉢部１１内の溜水が入れ替わる程度の水量α２（リットル）である。
【００３６】
また、制御装置１２５は、人体検知装置を利用して、水洗式便器１００の使用者が便器本体１０の前方に滞在している時間、又は便座１２２Ａに着座している時間を測定し、その長短によって、使用者が小便のために水洗式便器１００を使用したか、大便のために水洗式便器１００を使用したかを判別し、大洗浄又は小洗浄を実行する自動洗浄機能を有している。つまり、制御装置１２５は、自動洗浄機能によって水洗式便器１００が大便のために使用されたと判別すると、ポンプＰを駆動して大洗浄を実行する。制御装置１２５は、自動洗浄機能によって水洗式便器１００が小便のために使用されたと判別すると、ポンプＰを駆動して小洗浄を実行する。
【００３７】
また、制御装置１２５は、設定期間内（例えば、１か月間毎）の大洗浄回数Ｃ１及び小洗浄回数Ｃ２をカウントするカウンター機能を有している。制御装置１２５は、大洗浄又は小洗浄を実行する度に、大洗浄回数Ｃ１及び小洗浄回数Ｃ２を多機能型携帯電話（スマートフォン）１４３に送信する近距離無線通信機能を有している。
【００３８】
多機能型携帯電話１４３は制御装置１２５から送信された大洗浄回数Ｃ１及び小洗浄回数Ｃ２を受信する近距離無線通信機能を有している。多機能型携帯電話１４３は、大洗浄回数Ｃ１に大洗浄を１回実行する際に使用する水量α１（リットル）を乗じたものと、小洗浄回数Ｃ２に小洗浄を１回実行する際に使用する水量α２（リットル）を乗じたものとを加算し、設定期間内の便器本体に供給した洗浄水の使用水量を換算するアプリケーションをインストールしている。つまり、多機能型携帯電話１４３が換算機能を有している。
【００３９】
また、このアプリケーションは、式（１）に示すように、上述した使用水量に対して水道単価（円／ｍ3）／１０００を乗じて、水道代Ａを換算することができる。
【００４０】
【数１】
2013100711.tif 000003
【００４１】
さらに、このアプリケーションは、図７に示すように、今月のその時点での水道代及び使用水量と、先月１か月分の水道代及び使用水量とを表示部１４３Ａに表示することができる。
【００４２】
次に、このような構成を有する便器装置の動作について、図８を参照しつつ説明する。
【００４３】
便器洗浄の待機状態において、水洗式便器１００の使用者がリモートコントローラー１５０に設けた大洗浄ボタン１５１を操作するか、便座ボックス１２１の外表面に設けた洗浄ボタン１２３を操作するか、又は制御装置１２５の自動洗浄機能が水洗式便器１００の使用者が大便のために水洗式便器１００を使用したと判別することによって、大洗浄の実行が指示される（ステップＳ１）。
【００４４】
すると、大洗浄信号が制御装置１２５から送信され（ステップＳ３）、ポンプＰが駆動して、大洗浄を実行する（ステップＳ５）。また、制御装置１２５はカウンター機能によって大洗浄回数をカウントする（ステップＳ７）。
【００４５】
また、水洗式便器１００の使用者がリモートコントローラー１５０に設けた小洗浄ボタン１５１を操作するか、制御装置１２５の自動洗浄機能が水洗式便器１００の使用者が小便のために水洗式便器１００を使用したと判別することによって、小洗浄の実行が指示される（ステップＳ２）。
【００４６】
すると、小洗浄信号が制御装置１２５から送信され（ステップＳ４）、ポンプＰが駆動し、小洗浄を実行する（ステップＳ６）。また、制御装置１２５はカウンター機能によって小洗浄回数をカウントする（ステップＳ８）。
【００４７】
制御装置１２５のカウンター機能が大洗浄回数Ｃ１又は小洗浄回数Ｃ２をカウントする（ステップＳ７、Ｓ８）と、タイマーがスタートとし（ステップＳ９）、設定期間内であるか否かを判断する（ステップＳ１０）。例えば、設定期間は１カ月間であり、ある特定の月内であれば、便器洗浄の待機状態に戻り、翌月になると、制御装置１２５のカウンター機能の大洗浄回数Ｃ１及び小洗浄回数Ｃ２を０にし（ステップＳ１１）、さらにタイマーをリセットして（ステップＳ１２）、便器洗浄の待機状態に戻る。
【００４８】
また、制御装置１２５のカウンター機能が大洗浄回数Ｃ１又は小洗浄回数Ｃ２をカウントする（ステップＳ７、Ｓ８）と、近距離無線通信機能によって多機能型携帯電話に大洗浄回数Ｃ１及び小洗浄回数Ｃ２を送信する。
【００４９】
多機能型携帯電話１４３は制御装置１２５から送信された大洗浄回数Ｃ１及び小洗浄回数をカウントＣ２に基づいて、使用水量を計算する。つまり、多機能型携帯電話１４３は、大洗浄回数Ｃ１に大洗浄を１回実行する際に使用する水量α１（リットル）を乗じたものと、小洗浄回数Ｃ２に小洗浄を１回実行する際に使用する水量α２（リットル）を乗じたものとを加算し、その月内の便器本体に供給した洗浄水の使用水量を計算する。このように、便器本体１０に供給した洗浄水の水量を間接的に取得することができる（ステップＳ１３）。
【００５０】
このように、この便器装置は、便器洗浄装置１３０が設定期間内に便器本体１０に供給する使用水量を間接的に取得することができるため、直接的に水量を計測する際に利用する流量計等を必要としない。このため、便器洗浄装置１３０が設定期間内に便器本体１０に供給する使用水量を容易に把握することができる。
【００５１】
そして、使用水量（リットル）に対して水道単価（円／ｍ3）／１０００を乗じて、水道代を換算する(ステップＳ１４）。そして、多機能型携帯電話１４３の表示部１４３Ａに今月のその時点での水道代及び使用水量、及び先月１か月分の水道代及び使用水量を表示する（ステップＳ１５）。
【００５２】
このように、この便器装置では、水洗式便器１００の使用者が多機能型携帯電話４３を水洗式便器１が設置されたトイレ室内に持ち込むことによって、水洗式便器１００の使用中に多機能型携帯電話１４３の表示部１４３Ａの表示される水道代及び使用水量を視認し、これらの多少を把握することができる。このため、この便器装置は水洗式便器１００の使用者に対して節水の動機づけになる。これによって、水洗式便器１００の使用者は、各洗浄ボタン１２３、１５１、１５２の操作回数を少なくし、洗浄水の消費を少なくするように水洗式便器１００を使用するようになり得る。
【００５３】
したがって、実施例２の便器装置も、水洗式便器１００の使用者に対して節水の動機づけになり、水洗式便器１００の節水化を図り得る。
【００５４】
本発明は上記記述及び図面によって説明した実施例１及び２に限定されるものではなく、例えば次のような実施例も本発明の技術的範囲に含まれる。
（１）実施例１では、一次側給水路３２に流量計３５からなる測定装置を設けていたが、図９（Ａ）に示すように、二次側給水路３３のポンプＰの下流側に設けてもよい。また、図９（Ｂ）に示すように流量計３５の代わりにポンプＰの回転数を測定する回転数計３６からなる測定装置を設け、ポンプＰの回転数から便器本体１０に供給する洗浄水の水量を換算するようにしてもよい。実施例１と同一の構成は同一の符号を付し、詳細な説明を省略する。
（２）実施例１では、洗浄タンク３１を有していたが、図９（Ｃ)に示すように、洗浄タンク３１を有さず、給水源から直接、便器本体１０に洗浄水を供給するようにしてもよい。この場合、給水源から便鉢部１１に洗浄水を供給する給水路３７に開閉弁３４と、開閉弁３４の下流側に流量計３５を設けるとよい。実施例１と同一の構成は同一の符号を付し、詳細な説明を省略する。
（３）実施例１では、リモートコントローラー５０、及び便座ボックス２１の両方に表示装置４１、４２を設けたが、一方のみに設けてもよい。
（４）実施例１では、多機能型携帯電話４３の表示部４３Ａにデータを表示するようにしたが、多機能型携帯電話４３の表示部４３Ａにデータを表示させなくてもよい。
（５）実施例１では、表示部４１Ａ、４２Ａ、４３Ａの表示内容を切り替えることができたが、切り替えなくてもよい。また、リモートコントローラー５０の表示部４１Ａと、便座ボックス２１の表示部４２Ａとは違う表示内容にしてもよい。
（６）多機能型携帯電話４３の表示部４３Ａに、その多機能型携帯電話４３の所有者の水洗式便器の使用水量等のデータを表示するようにしてもよい。
（７）実施例１では、多機能型携帯電話４３の表示部４３Ａにデータを表示するようにしたが、携帯することができる通信機器、例えば、タブレット端末やＰＤＡ等の携帯端末の表示部にデータを表示するようにしてもよい。
（８）実施例２では、多機能型携帯電話１４３が換算機能を有したが、制御装置１２５が換算機能を有してもよい。この場合、リモートコントローラー１５０の表示部４１Ａや、便座ボックス１２１の上面の表示部４２Ａに水道代や使用水量を表示してもよい。
（９）実施例２の多機能型携帯電話１４３に水洗式便器１００の大洗浄及び小洗浄を実行するアプリケーションをインストールし、多機能型携帯電話１４３を操作して、大洗浄及び小洗浄を実行してもよい。
（１０）実施例２では、洗浄タンク３１を有していたが、洗浄タンク３１を有さず、給水源から直接、便器本体１０に洗浄水を供給するようにしてもよい。
【符号の説明】
【００５５】
１、１００…水洗式便器
１０…便器本体
３０、１３０…便器洗浄装置
３５…流量計（測定装置）
４１、４２、４３、１４３…表示装置（４３、１４３…多機能型携帯電話）
【図１】
2013100711.tif 000004
【図６】
2013100711.tif 000005
【図７】
2013100711.tif 000006
【図８】
2013100711.tif 000007
【図９】
2013100711.tif 000008
【図２】
2013100711.tif 000009
【図３】
2013100711.tif 000010
【図４】
2013100711.tif 000011
【図５】
2013100711.tif 000012